(57)【要約】【課題】一般家庭において実施されやすい簡単且つ確実な食品・食材管理のためのツール及びシステムを提供する。【解決手段】食品保存の観点からその日付の把握が重要となる調理上の行為ごとに『購入』、『開封』、『調理』、『冷凍』、『解凍』、『賞味期限』の用途別ラベルを作り当該表示ラベルに消費者が日付等の必要データを記入、その目的に応じて個々の食材・食品・調味料等に貼付し、食品管理に役立てる。又更に、一般家庭における食品保存庫としての機能を果たす冷凍冷蔵庫の前扉或いは側面にシート状の本ラベルと筆記用具をセットにして設置することにより、食品管理をより容易・確実なものにする。【選択図】図４
2005062246.tif 000002
【特許請求の範囲】
【請求項１】
『購入』の意味を有する言語の表示と、購入日を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項２】
『開封』の意味を有する言語の表示と、開封日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項３】
『調理』の意味を有する言語の表示と、調理日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項４】
『冷凍』の意味を有する言語の表示と、冷凍日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項５】
『解凍』の意味を有する言語の表示と、解凍日時を記入する日付記入欄と、食品名その他コメントを記入するコメント記入欄としての空欄部を設け、
個々の食品・食材又は調味料等に貼付する裏面に粘着材或いは再剥離性粘着材を塗布したラベル。
【請求項６】
『賞味期限』の意味を有する言語の表示と、賞味期限を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項７】
『購入』の意味を有する言語の表示と購入日を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項８】
『開封』の意味を有する言語の表示と開封日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項９】
『調理』の意味を有する言語の表示と調理日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１０】
『冷凍』の意味を有する言語の表示と冷凍日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１１】
『解凍』の意味を有する言語の表示と解凍日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１２】
『賞味期限』の意味を有する言語の表示と賞味期限となる日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１３】
調理上の一行為を表す言語の表示と、其の行為を行った日時或いは賞味期限を記入する日付記入欄と、食品名その他のコメントを記入するコメント記入欄としての空欄部を設け、個々の食品・食材又は調味料等に貼付するため裏面に粘着材或いは再剥離性粘着材を塗布したラベルに日付等のデータ記載を行い食品管理をすること。
【請求項１４】
請求項７乃至請求項１２記載のシート状ラベルを少なくとも１種類と、ラベル記載用の筆記具と、をボード或いはバッグ状の容器等に備え付け、該ボード或いはバッグを冷凍冷蔵庫の前扉或いは側面にマグネットを使うことによって吸着させた食品管理のツールセット。
【請求項１５】
請求項７乃至請求項１２記載のシート状ラベルを少なくとも１種類と、ラベル記載用の筆記具と、をボード或いはバッグ状の容器等に備え付け、該ボード或いはバッグを冷凍冷蔵庫の前扉或いは側面に吸盤を使うことによって吸着させた食品管理のツールセット。
【請求項１６】
請求項７乃至請求項１２記載のシート状ラベルを少なくとも１種類と、ラベル記載用の筆記具と、をボード或いはバッグ状の容器等に備え付け、該ボード或いはバッグを鈎型の金具を用いて庫体の天板に掛止し掛枠或いはロープ、チェーン等ひも状のもので懸吊することによって冷凍冷蔵庫の前扉或いは側面に設置した食品管理のツールセット。
【請求項１７】
調理上の一行為を表す言語の表示と、其の行為を行った日時或いは賞味期限を記入する日付記入欄と、食品名その他のコメントを記入するコメント記入欄としての空欄部を設け、個々の食品・食材又は調味料等に貼付するため裏面に粘着材或いは再剥離性粘着材を塗布したラベルを切込みによって一枚一枚剥離できるよう剥離台紙に十数枚から数十枚程度連続的に仮着されたシート状にし、少なくとも本シート状ラベルと、ラベル記載用の筆記具と、をボード或いはバッグ状の容器等に備え付け冷凍冷蔵庫の前扉或いは側面に懸吊、設置し日付等のデータ記載を行うことによって食品管理をすること。
【請求項１８】
請求項１乃至請求項１２記載のラベル作成を実現するためのプログラムプロダクト。
【請求項１９】
請求項１乃至請求項６に記載のラベルいずれか１以上を貼付又は同封した商品。
【請求項２０】
請求項１乃至請求項６に記載のいずれか１以上のラベル表示に相当する内容を商品又はその包装体上に印刷した商品。
【請求項２１】
請求項１乃至請求項６記載のラベル内容のいずれか１以上が連続印刷されたセロハンテープ状のラベル。
【発明の詳細な説明】
【０００１】
【発明の属する技術分野】本発明は、家庭用の食材・調味料・調理済み食品など食品食材全般の管理を行うためのラベル及び該ラベルを使用した食品管理のシステムに関する。
【０００２】
【従来の技術】個々の食品あるいは食材にはそれぞれメーカーや販売店が記載した製造年月日、賞味期限等の日付表示があり、これを参考に食品管理を行ってきた。
【０００３】一旦家庭で調理された後保存される食品等の場合には調理日、賞味期限など記憶と勘に頼る場合が多い。
【０００４】
【発明が解決しようとする課題】大型冷凍冷蔵庫の普及や様々な調理器具の発達、食のライフスタイルの多様化により多種多様にして多量の食材・調味料・調理済み食品の貯蔵・管理の必要性が生じている。
【０００５】個々の食品あるいは食材にはそれぞれメーカーや販売店が記載した製造年月日や賞味期限等の表示があるが、これは冷蔵庫内等で注意を喚起し目立つ表記とは言い難い為ついうっかり見過ごして腐らせ、処分してしまうものも多い。
【０００６】また調味料等では開封してから使い切るまでに数ヶ月に至るほどの期間を要するものもあり、食品の安全性を判断するデータはメーカーの記した「未開封の場合の賞味期限」ではなく家庭において開封した日時となる。この場合、開封した日付の記載が重要となってくる。
【０００７】いわゆる残り物など、家庭で調理された後に冷蔵保存する必要の生じた食品やホームフリージングした料理などは調理日付等のデータ管理が徹底されず、処分されてしまう食品も多い。
【０００８】このように従来、食品管理において重要な日付記載のツールやシステム等の総合的なものが存在しなかった。本発明は斯かる食品管理の問題点を解決するためのものであり、又、一般家庭において実施されやすいよう簡単且つ確実にして安価なシステムである。
【０００９】
【課題を解決するための手段】本発明は請求項１乃至請求項６記載の用途別ラベルに日付等の必要データを記入し、食材・食品・調味料等に貼付することによって一般家庭における食品管理の問題点の解決を図るものである。
【００１０】
【発明の実施の形態】本発明は、食品保存の観点からその日付の把握が重要となる調理上の行為ごとにラベルを作る。即ち『購入』『開封』『調理』『冷凍』『解凍』『賞味期限』の表示のラベルに消費者が日付等の必要データを記入、その用途に応じて個々の食品或いは食材或いは調味料等に貼付し、食品管理に役立てることにある。
【００１１】一般家庭においては購入した食材・調味料或いは家庭で調理・冷凍・解凍した料理等殆どの食品が冷凍冷蔵庫内に貯蔵・保管される。このような食材及び食品の保存庫としての役割を果たす冷凍冷蔵庫の前扉や側面に当該ラベルと、ラベル記入に用いる筆記具と、をセットにして設置することにより食品全般の賞味期限を判断する際に重要な日付等のデータ記載が容易且つ確実となり、食品を腐らせたり廃棄したりといった衛生上あるいは経済上のロスを低減することができる。
【００１２】本食品管理ツールセットの冷凍冷蔵庫の前扉或いは側面への装着方法としては、まずマグネット或いは吸盤等の一般的な吊り掛け具を用いる方法が考えられる。紙製、布製、樹脂製等のバッグ状容器、或いはポケット状や棚状の収納・載置のスペースを持ったボード等に筆記具とシート状ラベルを収納・載置してマグネットや吸盤を使って冷凍冷蔵庫の前扉又は側面に吸着させたり、同じくマグネットが吸着可能な素材のボードまたはシートを用いたり、シート状のマグネットで作られたボードを用いたりといった方法が考えられる。或いは、上述の容器を鈎型の金具を用いて庫体の天板に掛止しロープ、チェーン等ひも状のもので懸吊したり或いは掛枠を用いたりして冷凍冷蔵庫の前扉或いは側面に設置する方法が考えられる。又、これらの方法を組み合わせて鉤型金具や掛枠の先端にマグネットや吸盤を取り付けることによってより強力に掛止することもできる。
【００１３】当該ラベルの材質は通常用いる紙製の他に、冷凍冷蔵庫内からの頻繁な出し入れの際に生ずる結露によって起こる記入事項の滲みやラベル自体の劣化も少ないプラスチックフィルム等も挙げられる。尚、サイズ及び色は厳密に規定するものではないが食品が庫内に収まった際にも注意を惹き簡単に識別できることが肝要であるから、最低でも２ｃｍ×３ｃｍ程度のものが望ましい。ラベルの色分けも、食材・調味料等の色や種類を考慮に入れた効果的な色を各々選択したい。又、ラベル記載用の筆記具は結露によって記載事項が滲んだり消えることのないような物を選択したい。油性ボールペン、油性サインペン等の耐水性を有するインクを使用する筆記具や、えんぴつ等の筆記具が挙げられる。
【００１４】パーソナルコンピュータ及びプリンタの普及に伴い、当該ラベルを家庭において作成することも可能である。ＣＤ−ＲＯＭ等の記録媒体、或いはインターネットよりダウンロードしたソフト、プログラムが読み込まれたコンピュータシステムなどラベル作成を実現するためのプログラムとパーソナルコンピュータ、プリンタを用いることによって家庭内に於いてオリジナルのデザインや用途別のラベル作成が行えよう。冷凍冷蔵庫からの出し入れによる表示事項の滲み対策という点では、インクジェットプリンタでも耐水性インクの使用などにより印刷内容の滲みを極力押さえることも可能になる。
【００１５】本発明は、メーカー或いは販売店が予め商品に用途別の該ラベルを貼付或いは同封してもよい。商品購入後、消費者が日付等の必要データを記入することによって一般家庭におけるトータルな食品管理の徹底が図られる。又、メーカー或いは販売店は消費者がその食品を用いて家庭内に於いて行うであろう調理作業を考慮し多種複数の用途別ラベルを貼付或いは同封してもよい。例えば冷凍食品など、後に小分けしての調理、保存が予想される食品には、『開封』『調理』『解凍』『賞味期限』等のラベルを同封することができるが、各々複数枚のラベルを貼付或いは同封してもよい。
【００１６】又、メーカー或いは販売店は該ラベルの空欄部に商品名の他、必要なデータを予め記載してもよい。このように商品に予め貼付する当該ラベルは容器の移し替えなどを考慮にいれて再剥離性粘着材を使用したものが望ましい。
【００１７】又、紙パック入りの牛乳や、トマトケチャップ、ソースなど開封日の把握が重要で後に容器の移し替えもないような食品には容器に直接『開封』の表示と開封日時を書き込むスペース等、当該ラベル内容を印刷してもよい。
【００１８】当該ラベルの使用形態であるが、一般家庭に於いてはシート状のものが使い勝手もよいが、メーカー或いは販売店などでの使用の際には作業効率の向上、コストの削減などを考慮に入れ連続印刷されたセロハンテープ状のラベルを使用しても良い。
【００１９】尚、該ラベルの『購入』『開封』等の表示言語は日本語に限定されるものではない。又、単語に限定されるものでもない。例えば『ＯＰＥＮ』『買いました』等の表記も可能である。
【００２０】
【実施例】図４のラベル表記例をもとに実施例を述べていく。
【００２１】表記例１。野菜などはパック詰め商品以外は購入日付のわからないものが多い。『購入』のラベルに購入日を記入し野菜などの包装体に貼付する。
【００２２】表記例２。トマトケチャップ、ソースなど調味料は開封してから使い切るまでに長期間を要する。『開封』のラベルに開封日を記入し容器に貼付する。
【００２３】表記例３。自宅で調理して余った料理など冷蔵室に短期間ストックしておくものは『調理』のラベルに調理日を記入し、容器・ラップなどに貼付する。
【００２４】表記例４。例えばロールキャベツやシチューなど大量に調理し冷凍保存しておきたい食品、長期保存の必要がある食材などは『冷凍』のラベルに冷凍保存日及び食品名等を記入し、容器・ラップなどに貼付する。
【００２５】表記例５。枝豆、ほうれん草、そら豆など加熱調理済みの冷凍食材・食品で解凍してそのまま食するものは『解凍』のラベルに解凍日付を記入し、容器・ラップなどに貼付する。
【００２６】表記例６。食品を購入時の包装パックなどから他の容器に移し替えて保存する場合や小分けにする場合などは『賞味期限』のラベルに賞味期限となる日時を記入し、移し替えの容器・ラップなどに貼付する。
【００２７】
【発明の効果】本発明は用途別のラベルに日付、料理名他のコメントを記入、個々の食品或いは食材或いは調味料等に貼付し、食品管理に必要な日付等のデータ管理をすることにある。従来、日付データの記載はメーカー、販売店による『賞味期限』『品質保持期限』のみであったが、本発明のラベルを使用することによって総合的な日付等のデータ把握が可能となる。
【００２８】複雑な機械を使用することもなく、懸かるコストも低く経済的で、使用する人の年齢層も選ばない、簡単・確実・安価なシステムで一般家庭における経済的なロスの低減や食品衛生上の問題点を改善できる。
【図面の簡単な説明】
【図１】ラベルと筆記具のセットの一例が冷凍冷蔵庫の前面扉部に装着されている外観斜視図
【図２】図１に示したラベルと筆記具とのセットの一例を拡大した正面図
【図３】ラベルの記入例
【図４】用途別のラベル表記例１〜６
【符号の説明】
１冷凍冷蔵庫
２本発明のラベルと筆記具のセット
３ラベル及び筆記具収納のボード
４シート状のラベル
５油性サインペン等の筆記具
６用途別タイトル
７コメント記入欄のブランク
８日付記入欄の一表記例
【図１】
2005062246.tif 000003
【図２】
2005062246.tif 000004
【図３】
2005062246.tif 000005
【図４】
2005062246.tif 000006
【手続補正書】
【提出日】平成15年10月10日(2003.10.10)
【手続補正１】
【補正対象書類名】明細書
【補正対象項目名】特許請求の範囲
【補正方法】変更
【補正の内容】
【特許請求の範囲】
【請求項１】
『購入』の意味を有する言語の表示と、購入日を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項２】
『開封』の意味を有する言語の表示と、開封日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項３】
『調理』の意味を有する言語の表示と、調理日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項４】
『冷凍』の意味を有する言語の表示と、冷凍日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項５】
『解凍』の意味を有する言語の表示と、解凍日時を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項６】
『賞味期限』の意味を有する言語の表示と、賞味期限を記入する日付記入欄と、食品名その他コメントを記入するコメント記入欄としての空欄部を設け、個々の食品・食材又は調味料等に貼付する裏面に粘着材或いは再剥離性粘着材を塗布したラベル。
【請求項７】
『購入』の意味を有する言語の表示と購入日を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項８】
『開封』の意味を有する言語の表示と開封日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項９】
『調理』の意味を有する言語の表示と調理日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１０】
『冷凍』の意味を有する言語の表示と冷凍日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１１】
『解凍』の意味を有する言語の表示と解凍日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１２】
『賞味期限』の意味を有する言語の表示と賞味期限となる日時を記入する日付記入欄と食品名その他のコメントを記入するコメント記入欄としての空欄部を設け個々の食品・食材又は調味料等に貼付するため裏面に粘着材或いは再剥離性粘着材を塗布した上記ラベルが、切込みによって一枚一枚剥離できるよう剥離台紙に十数枚から数十枚程度連続的に仮着された事を特徴とするシート状のラベル。
【請求項１３】
請求項７乃至請求項12記載のシート状ラベルを少なくとも１種類と、ラベル記載用の筆記具と、をボード或いはバッグ状の容器等に備え付け、当該ボード或いはバッグを冷凍冷蔵庫の前扉或いは側面にマグネットを使うことによって吸着させる食品管理のツールセット。
【請求項１４】
請求項７乃至請求項12記載のシート状ラベルを少なくとも１種類と、ラベル記載用の筆記具と、をボード或いはバッグ状の容器等に備え付け、当該ボード或いはバッグを冷凍冷蔵庫の前扉或いは側面に吸盤を使うことによって吸着させる食品管理のツールセット。
【請求項１５】
請求項７乃至請求項12記載のシート状ラベルを少なくとも１種類と、ラベル記載用の筆記具と、をボード或いはバッグ状の容器等に備え付け、当該ボード或いはバッグを鈎型の金具を用いて冷凍冷蔵庫の天板に掛止し、掛枠或いはロープ、チェーン等ひも状のもので懸吊することによって冷凍冷蔵庫の前扉或いは側面に設置する食品管理のツールセット。
【請求項１６】
『購入』『開封』『調理』『冷凍』『解凍』『賞味期限』の各用途別ラベルには、其の行為を行った日時或いは賞味期限を記入する日付記入欄と、食品名や用途その他のコメントを記入するコメント記入欄としての空欄部を設け、個々の食品・食材又は調味料等に貼付するため裏面に粘着材或いは再剥離性粘着材を塗布するが、この当該ラベルを切込みによって一枚一枚剥離できるよう剥離台紙に十数枚から数十枚程度連続的に仮着されたシート状にし、少なくとも本シート状ラベルと、ラベル記載用の筆記具と、をボード或いはバッグ状の容器等に備え付け冷凍冷蔵庫の前扉或いは側面に設置することによって日付等のデータ記載を行う食品管理のツールセット。
【請求項１７】
調理上の一行為を表す言語の表示と、其の行為を行った日時或いは賞味期限を記入する日付記入欄と、食品名や用途その他のコメントを記入するコメント記入欄としての空欄部を設け、個々の食品・食材又は調味料等に貼付するため裏面に粘着材或いは再剥離性粘着材を塗布したラベルを、切込みによって一枚一枚剥離できるよう剥離台紙に十数枚から数十枚程度連続的に仮着されたシート状にし、少なくとも本シート状ラベルと、ラベル記載用の筆記具と、をボード或いはバッグ状の容器等に備え付け冷凍冷蔵庫の前扉或いは側面に懸吊、設置することによって日付等のデータ記載を行う食品管理のツールセット。
【請求項１８】
請求項１乃至請求項12記載のラベル作成を実現するためのプログラムプロダクト。
【請求項１９】
請求項1乃至請求項6に記載のラベルいずれか１以上を貼付又は同封した商品。
【請求項２０】
請求項1乃至請求項6に記載のいずれか１以上のラベル表示に相当する内容を商品又はその包装体上に印刷した商品。
【請求項２１】
請求項１乃至６記載のラベル内容が連続印刷されたセロハンテープ状のラベル。
【手続補正２】
【補正対象書類名】明細書
【補正対象項目名】００１５
【補正方法】変更
【補正の内容】
【００１５】
本発明は、メーカー或いは販売店が予め商品に用途別の当該ラベルを貼付或いは同封してもよい。商品購入後、消費者が日付等の必要データを記入することによって一般家庭におけるトータルな食品管理の徹底が図られる。又、メーカー或いは販売店は消費者がその食品を用いて家庭内に於いて行うであろう調理作業を考慮し多種複数の用途別ラベルを貼付或いは同封してもよい。例えば冷凍食品など、後に小分けしての調理、保存が予想される食品には、『開封』『調理』『解凍』『賞味期限』等のラベルを同封することができるが、各々複数枚のラベルを貼付或いは同封してもよい。尚、このように商品に予め貼付或いは同封する当該ラベルは容器の移し替えなどを考慮にいれて再剥離性粘着材を使用したものが望ましい。


【手続補正３】
【補正対象書類名】明細書
【補正対象項目名】００１６
【補正方法】変更
【補正の内容】
【００１６】
又、メーカー或いは販売店は該ラベルの空欄部に商品名の他、必要なデータを予め記載してもよい。